(57)【要約】      （修正有）【課題】在来軸組み工法により簡易な物置や居住空間などを構築できる継手要素を含んだ土台や柱、梁、桁などの３乃至５枚の板材の積層構造による軸材を提供する。【解決手段】中央材（中心材１）と中心材１を挟む両外面材２が接合される積層構造の軸材において、各板材が、木造建築に用いられる柱材の横断面の規格寸法（幅寸法Ｗと高さ寸法Ｌ）と同等の高さ寸法Ｌと、幅寸法Ｗを３乃至５に分割した特定板厚寸法とし、相互がビス接合されて成る。また、中心材１と両外面材２は柱材の規格寸法の高さ寸法Ｌを単位として相互に出入した突出部３や二股部４が形成される。又、中心材１が長さ方向で分割されて高さ寸法Ｌを単位とした所要寸法の貫通孔を両外面材２、２間に設けたもの、二股部４に突出長さが高さ寸法Ｌを単位とした所要寸法の短尺中央材が挿脱自在に嵌着されるもの、中心材１の高さを高さ寸法Ｌに関する比率で所要寸法低くした軸材などが提供される。【選択図】図１
2009091848.tif 000002
【特許請求の範囲】
【請求項１】
中央材と該中央材を挟む両外面材とからなる複数枚の板材が接合される積層構造による軸材において、
各板材が、木造建築に用いられる柱材の横断面の規格寸法（幅寸法Ｗと高さ寸法Ｌ）と同等の高さ寸法Ｌと、幅寸法Ｗを３乃至５に分割した特定板厚寸法とから成り、各板材相互がビス接合されて成る軸材。
【請求項２】
前記中央材の長さ寸法が適宜に選択され、木口面より前記高さ寸法Ｌを単位として所要寸法突出又は／及び後退されて成る請求項１記載の軸材。
【請求項３】
請求項２記載の軸材において、中央材が木口面より前記高さ寸法Ｌを単位として後退され、所要寸法短尺にして形成される二股部に、突出長さが前記高さ寸法Ｌを単位とした所要寸法の短尺中央材が挿脱自在に嵌着されて成る軸材。
【請求項４】
前記中央材が長さ方向で分割され、その相互間に前記高さ寸法Ｌを単位とした所要寸法の貫通孔が配設されて成る請求項１又は２記載の軸材。
【請求項５】
何れか一側の外面材の長さ寸法が、他側の外面材又は／及び中央材の長さ寸法より前記高さ寸法Ｌを単位とした所要寸法長尺である請求項１又は４記載の軸材。
【請求項６】
前記中央材の高さ寸法が、長さ方向所要寸法に渡り、両外面材の高さ寸法より前記高さ寸法Ｌに関する比率で所要寸法短尺である請求項１、２、４又は５の何れか１項に記載の軸材。
【発明の詳細な説明】
【技術分野】
【０００１】
本発明は、簡易な軸組み構法に用いられる軸材に関する。
【背景技術】
【０００２】
板材を複数枚積層してなる集成材を角柱状体の木材ブロックに形成した技術が、特開平１１−１７２８０７号公報（特許文献１）に提案されている。この技術はログハウス等の壁組みには適用されるが、在来軸組み工法（構法）における軸材には利用できない。
また、構造材を３プライの積層材で構成し、中央に位置するラミナ（板材）を所定の寸法ずらして積層接着し、凹凸のある軸材料についての技術が、特開２０００−２７３９５６号公報（特許文献２）に提案されているが、在来軸組み工法に用いられる土台や柱、梁、桁などの接合に必要な継手要素を含んだ軸材の完成には到っていない。
【特許文献１】特開平１１−１７２８０７号公報
【特許文献２】特開２０００−２７３９５６号公報
【発明の開示】
【発明が解決しようとする課題】
【０００３】
本発明は、在来軸組み工法により簡易な物置や居住空間などを構築できる継手要素を含んだ土台や柱、梁、桁などの３乃至５枚の板材の積層構造による軸材を提供するものである。
【課題を解決するための手段】
【０００４】
本発明の請求項１に記載した軸材は、中央材と該中央材を挟む両外面材とからなる複数枚の板材が接合される積層構造による軸材において、
各板材が、木造建築に用いられる柱材の横断面の規格寸法（幅寸法Ｗと高さ寸法Ｌ）と同等の高さ寸法Ｌと、幅寸法Ｗを３乃至５に分割した特定板厚寸法とから成り、各板材相互がビス接合されて成る。
請求項２に記載した軸材は請求項１に記載した軸材において、
前記中央材の長さ寸法が適宜に選択され、木口面より前記高さ寸法Ｌを単位として所要寸法突出又は／及び後退されて成る。
請求項３に記載した軸材は請求項２記載の軸材において、中央材が木口面より前記高さ寸法Ｌを単位として後退され、所要寸法短尺にして形成される二股部に、突出長さが前記高さ寸法Ｌを単位とした所要寸法の短尺中央材が挿脱自在に嵌着されて成る。
請求項４に記載した軸材は請求項１又は２に記載の軸材において、
前記中央材が長さ方向で分割され、その相互間に前記高さ寸法Ｌを単位とした所要寸法の貫通孔が配設されて成る。
請求項５に記載した軸材は請求項１又は４に記載の軸材において、
何れか一側の外面材の長さ寸法が、他側の外面材又は／及び中央材の長さ寸法より前記高さ寸法Ｌを単位とした所要寸法長尺である。
請求項６に記載した軸材は請求項１、２、４又は５の何れか１項に記載の軸材において、
前記中央材の高さ寸法が、長さ方向所要寸法に渡り、両外面材の高さ寸法より前記高さ寸法Ｌに関する比率で所要寸法短尺である。
【発明の効果】
【０００５】
本発明の軸材によれば、３乃至５枚の板材の配列によって、木材建築に用いられる柱材の規格寸法となる高さ寸法と幅寸法における高さ寸法を単位として、各板材単位で両木口面及び長さ方向の所要部位に、軸組みに必要な継手要素が簡単に形成されるから、ほぞ接ぎ加工などの仕口加工が不要となり、熟練作業が要されることなく物置や倉庫などの軸組み構造を簡単に構築できる効果がある。このほか、間伐材などの小径木の有効利用にも資する。
【発明を実施するための最良の形態】
【０００６】
本発明の各軸材の幅寸法Ｗと高さ寸法Ｌは、一般木造建築に用いられる柱の規格寸法Ｗ（90mm、105mm、120mm）、Ｌ（105mm、120mm）の各組合わせ寸法、すなわち、90×105、105×105、90×120、105×120、120×120と同等であり、軸材を構成する中央材と中央材を挟む両外面材の各板厚は、幅寸法Ｗを適宜に３乃至５枚に分割（縦割）した各様の寸法から、幅寸法Ｗをｎ（３乃至５）等分に分割したＷ/ｎ寸法などである。
そして、各軸材の長さの基準寸法とは、柱関係では土台と桁又は梁との芯芯間が1800mmであるから、基準寸法となる内幅は選択される高さ寸法Ｌによって決定され、高さ寸法Ｌが105mmであれば基準寸法は1695mmであり、高さ寸法Ｌが120mmであれば基準寸法は1680mmである。また、土台や桁、梁などの長さの基準寸法も前記と同長に設定したり、柱と柱の芯芯間を900mmとした場合には、それらの長さの基準寸法となる内幅も選択される高さ寸法Ｌによって決定され、高さ寸法Ｌ（高さＬ）が105mmであれば基準寸法は795mmであり、高さＬが120mmであれば基準寸法は780mmである。
そして、柱や土台、桁、梁の長さの実寸法は、前記長尺の基準寸法や短尺の基準寸法をベースとして高さＬや所要分割数で幅Ｗを構成する板厚を単位とする継手要素が加味されて決定されるものである。
【実施例】
【０００７】
本発明を柱材の規格寸法、すなわち、幅寸法Ｗ（90mm、105mm、120mm）、高さ寸法Ｌ（105mm、120mm）において、幅寸法Ｗが105mm、高さ寸法Ｌが105mmで、板厚が幅寸法Ｗを３等分（このほか、４等分、５等分に分割したものや３乃至５枚の各種板厚のものが対象となる。）した105/3（35mm）からなる中心材１と、同様に高さ寸法Ｌが105mmで中心材１を挟む板厚35mmの両外面材２とから成る３枚の板材がビス５等で積層接合された実施例で説明すると、本発明の軸材Ａは図１（ａ）に示すように、幅Ｗが105mmで高さＬが105mmであり、前記基準寸法1695mmに対して両端にそれぞれ板材１枚分、すなわち板厚35mm分の入り込み寸法を加味した両端間の長さが1765mmのものを基本とする。分図（ｂ）に示した軸材Ｂは、両外面材２、２と中心材１とは同長とされ、左端部では両外面材２、２の端面より中心材１をＬ（105mm）寸法だけ突出した突出部３が形成され、右端部では両外面材２、２の端面より中心材１をＬ（105mm）後退させた二股部４が形成されて積層接合（所要個所でビス５により表裏から接合される。以下同じ。）され、突出部３の始端から二股部４の底面までの長さが1695mmのものが基準寸法とされる。軸材Ｃは分図（ｃ）に示すように、基準寸法の外面材２、２に対して中心材１が左右端部でそれぞれＬ（105mm）寸法だけ突出された突出部３が形成されて積層接合されて成り、軸材Ｄは分図（ｄ）に示すように、後方（裏面側）の外面材２の長さが基準寸法とされ、前方（表面側）の外面材２の長さが基準寸法よりＬ寸法だけ短尺とされ、左端部では中心材１が後方の外面材２よりＬ寸法だけ突出され、前方の外面材２より２L寸法だけ突出した異形突出部６が形成され、右端部では中心材１が両外面材２、２の端面よりＬ寸法だけ突出されて突出部３が形成され、同様に積層接合されて成り、軸材Ｅは図２の分図（ａ）に示すように、後方（裏面側）の外面材２と中心材１の基準寸法に対して前方（表面側）の外面材２を左右それぞれにおいて各Ｌ寸法だけ長尺にして段差部７を形成して積層接合されて成り、軸材Ｆは分図（ｂ）に示すように、軸材Ａにおいて、中心材１を左右に分割して所要位置にＬ寸法（２L寸法のものもある。）の貫通孔８を配設して積層接合されて成り、分図（ｃ）に示した軸材Ｇは後方（裏面側）の外面材２を基準寸法とし、左端部ではこの外面材２に中心材１の左端を揃え、前方（表面側）の外面材２を後方の外面材２及び中心材１の左端よりＬ寸法だけ突出した段差部７が形成され、右端部では後方の外面材２の右端に前方の外面材２の右端を揃え、中心材１の右端を両外面材２、２の右端よりＬ寸法だけ突出した突出部３が形成されて積層接合されて成り、分図（ｄ）に示した軸材Ｈは、右端を揃えた所要長の両外面材２、２に対して中心材１を左方では両外面材２、２の左端より２L寸法（Ｌ寸法の場合もある。）突出した長尺突出部９が形成されて積層接合されて成り、軸材Ｉは分図（ｅ）に示すように、基準寸法の中心材１に対して両外面材２、２をそれぞれ左右端部でＬ寸法長尺にした二股部４が形成されて積層接合されて成り、軸材Ｊは図３の分図（ａ）に示すように、基準寸法よりＬ寸法だけ短尺の両外面材２、２に対して中心材１が左端部では２L寸法（３L寸法のものもある。）だけ突出された長尺突出���９が形成され、右端部ではＬ寸法だけ両外面材２、２の右端より突出された突出部３が形成されて積層接合されて成り、軸材Ｋは分図（ｂ）に示すように、軸材Ｉにおいて、中心材１が左右に分割されて所要位置にＬ寸法の貫通孔８を配設して積層接合されて成り、軸材Ｌは分図（ｃ）に示すように、軸材Ｉにおいて、中心材１が左右に分割されて所要位置に２L寸法の長尺貫通孔１０が配設され、積層接合されて成り、軸材Ｍは分図（ｄ）に示すように、所要長さの両外面材２、２に対して中心材１が左端部では２L寸法だけ突出された長尺突出部９が形成され、右端部ではＬ寸法だけ突出された突出部３が形成されて積層接合されて成り、軸材Ｎは分図（ｅ）に示すように、所要寸法の両外面材２、２に対して中心材１がその右端を両外面材２、２の右端に揃えられ、左端部でＬ寸法だけ短尺とされた二股部４が形成されて積層接合されて成り、軸材Ｏは分図（ｆ）に示すように、右端が揃えられたＬ寸法の両外面材２、２に対して中心材１が左端部でＬ寸法だけ突出された突出部３が形成されて積層接合されて成り、軸材Ｐは図４の分図（ａ）に示すように、軸材Ａにおいて中心材１の高さをL/3（この寸法に限定するものではない。）寸法だけ低くした深溝１１を配設して積層接合されて成り、軸材Ｑは分図（ｂ）に示すように、軸材Ａにおいて中心材１の高さをL/6（深溝１１の半分の深さ）だけ低くした浅溝１２を上方に配設して積層接合されて成り、軸材Ｒは分図（ｃ）に示すように、軸材Ａにおいて中心材１にその左右端からそれぞれＳ寸法（最小寸法はL/3）残して所要深さの凹所１３を設けて積層接合されて成り、軸材Ｓは図５の分図（ａ）に示すように、右端を揃えたＬ寸法の両外面材２、２に対して左端部で中心材１を２L寸法だけ突出した長尺突出部９が形成されて積層接合されて成り、軸材Ｔは分図（ｂ）に示すように、両外面材２、２の全長が基準寸法（この寸法よりＬ寸法だけ短尺の場合もある。）で、中心材１が左右両端でＬ寸法短尺となって、両端に二股部４が形成されて積層接合された軸材本体Ｔbと、一方の二股部４に挿脱自在に嵌着されてＬ寸法だけ突出する短尺中心材３６とから成り。このほか、軸材Ｔは仮想線で示すように他方の二股部４にも短尺中心材３６を伴って提供されることもある。
【０００８】
このようにして成る軸材Ａ乃至Ｔは、一般木造建築の簡易な軸組み構法に用いられその使用実施例を説明すると、図６に示す軸組み構造ａにおいて、前方の左右に配設される前部隅柱１４には軸材Ｄが左端部の異形突出部６を上にしてその広い突出面６aをそれぞれ左右方向に向けて使用され、前方の前部通し柱１５には軸材Ｊが左端部の長尺突出部９を上にして広い突出面９aを左右方向に向けて使用され、後方の左右隅部に配設される後部隅柱１６には軸材Ｇがその左端部を上にしてその段差部７を左右方向に向けて使用され、後方中間に立設される後部通し柱１７には軸材Ｊがその左端部の長尺突出部９を上にして広い突出面９aを左右方向に向け、その長さを３Lに選択して使用される。軸材Ｊの両外面材２、２の上端にはそれぞれ後部桁２１の一端が載置され、その上方の中間梁３２を介して上端に中間棟束３３としての軸材Ｎが嵌着され、前方の前部通し柱１５とその左右の前部隅柱１４との間には、軸材Ａが前部土台１８と前部桁１９として使用され、同様に後部通し柱１７と左右の後部隅柱１６との間にも後部土台２０と後部桁２１としての軸材Ａが使用される。前部土台１８や後部土台２０上に間柱２２を設ける場合には、貫通孔８の開口された軸材Ｆが使用され、その場合の前部桁１９と後部桁２１には２L寸法の貫通孔８が開口された軸材Ｆが使用され、その場合の間柱２２には軸材Ｃが用いられ、何れか一端の突出部３が前部土台１８や後部土台２０となる軸材ＦのＬ寸法の貫通孔８に嵌入され、他端の突出部３が前部桁１９や後部桁２１となる軸材Ｆの２L寸法の貫通孔８のＬ寸法分に嵌入され、前部では残りのＬ寸法分には前部束２３としての軸材Ｏの突出部３が嵌入され、その頂部が後述のたるきの取付け座となる。
【０００９】
後部では棟束２４としての軸材Ｈが長尺突出部９を短尺のＬ寸法とした突出部３として残りのＬ寸法分に嵌入され、同様にその頂部に前記たるきの後端が取り付けられる。左右の後部隅柱１６、１６の上方には隅棟束２５としての軸材Ｈが接合される。左右の前部隅柱１４と後部隅柱１６との間に接合される左土台２６と右土台２７にはそれぞれ軸材Ｅが用いられ、前部隅柱１４と後部隅柱１６との上部で両者に差し渡される左梁２８と右梁２９にはそれぞれ両端に二股部４が形成された軸材Ｉが用いられる。左土台２６と右土台２７上に間柱２２を設ける場合には軸材Ｅの所要位置に中心材１を分割して形成した貫通孔８（図外）に嵌入した閉塞片（図外）を取り外したものが使用され、その場合には左梁２８、右梁２９としてＬ寸法の貫通孔８が開口された軸材Ｋが用いられ、側部束３０として軸材Ｈを用いる場合は、長尺突出部９（２L寸法）が短尺のＬ寸法だけ突出した突出部３を有するものが充当され、このときの左梁２８、右梁２９としては、間柱２２の突出部３と側部束３０の突出部３との両者を嵌入することとなるから、貫通孔８が２L寸法の軸材Ｌが用いられる。前部通し柱１５と後部通し柱１７との間には、土台レベルでは中間土台３１として軸材Ａの基準寸法から70mm短尺のものが選択され、その両端の釘打ちによって接合される。前部桁１９の上部に突出する前部通し柱１５の上部と、後部桁２１の上部に突出する後部通し柱１７の上部とには中間梁３２として軸材Ｉが接合され、中間梁３２の上方で後部通し柱１７の長尺突出部９の突端Ｌ寸法分には中間棟束３３としての軸材Ｎの二股部４が嵌着されてビス止めされる。
【００１０】
次に、前記した各軸材の軸組み構造ａの要部における相互関係について詳述する。
先ず、図６のＡ部の接合構造について説明すると、図７に示すように、前部隅柱１４は軸材Ｄの異形突出部６の広い突出面６aを内方に向け、その内側の外面材２の上端に前部桁１９の端部（L/3寸法分：35mm）が載置されて釘打ちされ、この状態で異形突出部６の残部突出部（Ｌ寸法分）に前後間に差し渡される右梁２９としての軸材Ｉの一端の二股部４が嵌着されてビス止め固定される。一方、下部のＢ部の接合構造は図８に示すように、前部隅柱１４としての軸材Ｄの突出部３の内方の突出面３aに前部土台１８としての軸材Ａの一端面が当接されて釘打ち固定され、突出部３の外方の突出面３aには右土台２７としての軸材Ｅの段差部７における外側の外面材２の内面が当接されてビス５で締結される。なお、後部隅柱１６における後部土台２０と右土台２７の接合も前記した前部隅柱１４に対する前部土台１８と右土台２７の接合と同様であり、左側の前部隅柱１４及び後部隅柱１６に関わる前部土台１８と左土台２６、後部土台２０と左土台２６の接合も前記と同様である。
【００１１】
次に、前部隅柱１４と前部通し柱１５との接合構造について説明すると、図１０に示すように、前部隅柱１４の上部の異形突出部６の広い突出面６aに一端を当接して釘打ち固定された前部桁１９の他端は、前部通し柱１５としての軸材Ｊの２L寸法の長尺突出部９の一面に当接されるとともに、外面材２の上端に載置されて釘打ち固定される。前部通し柱１５の軸材Ｊの上端には中間梁３２としての軸材Ｉの二股部４が嵌着されてビス止めされる。前部隅柱１４と前部通し柱１５との下部は、それぞれの突出部３、３の対向面に前部土台１８としての軸材Ａの両端のL/3分（35mm）が、それぞれの外面材２の下端に入り込みつつその端面を当接して釘打ち固定される。
【００１２】
次に、図６のＣ部の接合構造について説明すると、図１１に示すように、後部隅柱１６としての軸材Ｇをその段差部７を左右方向の内面に向けて立設し、下部の突出部３（図外）の外面に右土台２７としての軸材Ｅの段差部７の内面を当接してビス止め固定され、軸材Ｇの上部の段差部７の内面には隅棟束２５としての軸材Ｈの長尺突出部９を当接してビス止め固定し、軸材Ｇの段差部７の内方の外面材２の上端に後部桁２１としての軸材Ａの一端部（L/3寸法分：35mm）を載置してビス止め固定し、後部隅柱１６の外方の外面材２の上端と、後部桁２１の上面と、隅棟束２５としての軸材Ｈの両外面材２、２の下端面との間で、隅棟束２５の長尺突出部９に右梁２９としての軸材Ｉの二股部４を嵌着してビス止め固定する。
【００１３】
図６のＤ部の接合構造は図１２に示すように、後部通し柱１７としての軸材Ｊの長尺突出部９（長さ３L寸法）の両面（広い突出面）には、両外面材２、２の上端に載置された後部桁２１としての軸材Ａの一端面が当接されてビス止め固定され、さらに、両後部桁２１の上面に載置されて長尺突出部９に中間梁３２としての軸材Ｉの二股部４を嵌着してビス止め固定し、その状態で後部通し柱１７（軸材Ｇ）の長尺突出部９の上端部（Ｌ寸法分）に中間棟束３３としての軸材Ｎの二股部４を嵌着してビス止め固定する。後部通し柱１７と左右の後部隅柱１６間の後部土台２０は、それぞれの後部隅柱１６の突出部３の内面と後部通し柱１７の突出部３の各対向面とにそれぞれの端面が当接されて釘打ち固定される。
【００１４】
このようにして軸組みされた軸組み構造ａは、左右の前部隅柱１４の上部に嵌着される左梁２８、右梁２９の上面と、左右の後部隅棟１６の上部に係着される隅棟束２５の頂面との間、及び前部通し柱１５の上部に嵌着される中間梁３２の上面と、後部通し柱１７の上部に嵌着される中間棟束３３の頂面との間にはそれぞれ高さ75mm、幅45mmのたるき３４が差し渡され、各たるき３４の前端部の内面間にはそれぞれ面戸板３５が立設されて風雨の吹き込みが防止され、適宜な屋根材が葺かれ、周壁及び床、その他出入口が適宜に設けられる。前部隅柱１４と前部通し柱１５との一方間では、前部土台１８として軸材Ｒを用い、ＳをL/3寸法として凹所１３を浅溝１２とした敷居とし、上部の前部桁１９として用いた軸材ＲはＳをL/3寸法として凹所１３を深溝１１としたかもいとすれば、落とし込み状の開閉戸（図外）を建て付けできる。前部隅柱１４と前部通し柱１５との間に間柱２２を設ける場合（後部においても同じ。）、図９に示すように、前部土台１８としての軸材Ｆの貫通孔８に間柱２２としての軸材Ｃの下方の突出部３を嵌入し、次いで、上方の突出部３を前部桁１９としての軸材Ｆの貫通孔８に嵌入させ、然る後に前部桁１９の左右端を前部隅柱１４と前部通し柱１５に固定するものであるが、作業手順を多く要することから後付けできる間柱２２として図５の分図（ｂ）に示す軸材Ｔを提供する。
【００１５】
すなわち、軸材Ｔは前部土台１８に開口された貫通孔８に短尺中心材３６のＬ寸法分を嵌着し、軸材Ｔの下部の二股部４を短尺中心材３６の上部に突出したＬ寸法分に嵌着し、上部の前部桁１９としての軸材Ｆの貫通孔８に図５の分図（ａ）に示す前部束２３としての軸材Ｓの長尺突出部９或いは分図（ｂ）の仮想線で示す短尺中心材３６を嵌入させ、軸材Ｆの下面から突出垂下されるＬ寸法分を前部の間柱２２として使用する軸材Ｔの上部の二股部４に嵌着してビス止めできるから、前部桁１９（貫通孔８有り）と前部土台１８（貫通孔８有り）が固定状態であっても間柱２２を後付けできる。
なお、本実施例は柱材の規格寸法が105mm×105mmで、板材が幅寸法105mmを３等分した板厚35mmでその３枚が積層接合された一例であり、柱材の規格寸法が90mm×105mm、90mm×120mm、105mm×120mm、120mm×120mmにおいても、前記の要領で高さ寸法と分割板材の板厚との関係で、長さの基準寸法に対して継手要素の寸法が加味された各種の実寸法の軸材が設定され、簡単な軸組み構造の構築に供されることは勿論である。
【産業上の利用可能性】
【００１６】
本発明の各軸材をセットにすれば、素人でもドライバーやビス、釘などで簡単な軸組み構造を構築できるから日曜大工向きで広く需要が期待され木工製品製造業界や製材業界の活性化に貢献できる。
【図面の簡単な説明】
【００１７】
【図１】本発明に係る各軸材の説明図で、分図（ａ）（以下、分図を省略する。）は、土台や桁などに用いられる軸材Ａの斜視図、（ｂ）は間柱として用いられる軸材Ｂの斜視図、（ｃ）は間柱として用いられる軸材Ｃの斜視図、（ｄ）は左右の前部隅柱として用いられる軸材Ｄの斜視図。
【図２】本発明に係る各軸材の説明図で、（ａ）は間柱を設ける場合の左右の土台として用いられる軸材Ｅの斜視図、（ｂ）は間柱を設ける場合の土台や梁として用いられる軸材Ｆの斜視図、（ｃ）は後部隅柱として用いられる軸材Ｇの斜視図、（ｄ）は棟束や側部束として用いられる軸材Ｈの斜視図、（ｅ）は梁として用いられる軸材Ｉの斜視図。
【図３】本発明に係る各軸材の説明図で、（ａ）は通し柱として用いられる軸材Ｊの斜視図、（ｂ）は間柱を設ける場合の左右の梁として用いられる軸材Ｋの斜視図、（ｃ）は間柱と束とを設ける場合の梁として用いられる軸材Ｌの斜視図、（ｄ）は両流れ面を有する棟束として用いられる軸材Ｍの斜視図、（ｅ）は棟束として用いられる軸材Ｎの斜視図、（ｆ）は束として用いられる軸材Ｏの斜視図。
【図４】本発明に係る各軸材の説明図で、（ａ）はかもいとして用いられる軸材Ｐの部分斜視図、（ｂ）は敷居として用いられる軸材Ｑの部分斜視図、（ｃ）は敷居やかもいとして用いられる他の態様の軸材Ｒの斜視図。
【図５】本発明に係る各軸材の説明図で、（ａ）は束として用いられる他の態様の軸材Ｓの斜視図、（ｂ）は間柱として用いられる他の態様の軸材Ｔの斜視図。
【図６】本発明の軸材を施した片流れ小屋組みの軸組み構造ａの説明図。
【図７】図６のＡ部の接合構造の部分拡大斜視図。
【図８】図６のＢ部の接合構造の部分拡大斜視図。
【図９】間柱２２の前後部土台（１８、２０）に対する接合を示す部分斜視図。
【図１０】図６の前方の前部隅柱１４と前部通し柱１５との接合関係を示す部分斜視図。
【図１１】図６のＣ部の接合構造の部分拡大斜視図。
【図１２】図６のＤ部の接合構造の部分拡大斜視図。
【符号の説明】
【００１８】
１：中心材
２：外面材
３：突出部
３a：突出面
４：二股部
５：ビス
６：異形突出部
６a：広い突出面
７：段差部
８：貫通孔
９：長尺突出部
９a：広い突出面
１０：長尺貫通孔
１１：深溝
１２：浅溝
１３：凹所
１４：前部隅柱
１５：前部通し柱
１６：後部隅柱
１７：後部通し柱
１８：前部土台
１９：前部桁
２０：後部土台
２１：後部桁
２２：間柱
２３：前部束
２４：棟束
２５：隅棟束
２６：左土台
２７：右土台
２８：左梁
２９：右梁
３０：側部束
３１：中間土台
３２：中間梁
３３：中間棟束
３４：たるき
３５：面戸板
３６：短尺中心材
Ａ乃至Ｔ：軸材
ａ：軸組み構造
【図１】
2009091848.tif 000003
【図２】
2009091848.tif 000004
【図３】
2009091848.tif 000005
【図４】
2009091848.tif 000006
【図５】
2009091848.tif 000007
【図６】
2009091848.tif 000008
【図７】
2009091848.tif 000009
【図８】
2009091848.tif 000010
【図９】
2009091848.tif 000011
【図１０】
2009091848.tif 000012
【図１１】
2009091848.tif 000013
【図１２】
2009091848.tif 000014